(57)【要約】      （修正有）【課題】着心地が窮屈にならず、体を楽な姿勢でスムーズに動かすことができる被服を提供する。【解決手段】被服１００は、伸縮性を有する生地で構成されていて、上半身に略密着される態様で着用される被服であって、第１領域１０は、少なくとも、僧帽筋の中部線維及び二頭筋に対応し、かつ、第１領域１０とは異なる他の第２領域よりも難伸縮性で構成されている。【選択図】図２
2017043863.tif 000002
【特許請求の範囲】
【請求項１】
伸縮性を有する生地で構成されていて、上半身に略密着される態様で着用される被服であって、
少なくとも、僧帽筋の中部線維及び二頭筋に対応する第１領域は、当該第１領域とは異なる第２領域よりも難伸縮性である被服。
【請求項２】
さらに、前記第１領域は、僧帽筋の上部線維に対応する領域も含む、請求項１記載の被服。
【請求項３】
前記第１領域は、被服本体を編立で製造する際に生地を構成する糸の密度が前記第２領域における密度よりも高い、請求項１記載の被服。
【請求項４】
前記第１領域は、他の生地が重ね合わされている、請求項１記載の被服。
【発明の詳細な説明】
【技術分野】
【０００１】
本発明は、被服に関し、特に、伸縮性を有する生地で構成されていて、着用者の上半身に略密着される態様で着用される被服に関する。
【背景技術】
【０００２】
従来、伸縮性を有する素材を用いて体形を補正するに最適な被服が、特許文献２に開示されている。この被服は、具体的には、伸縮性を有する素材を用いて、経編みや丸編みその他、殊には経編みにより縫い目のない一体成型形状に上半身ウェアを製作し、上半身ウェアを着用することで体の必要部位に着圧をかけてテーピング効果により姿勢をコントロールして、体形を補正する構成とされている。
【０００３】
【特許文献１】特開２００７−１３８３３５号
【発明の開示】
【発明が解決しようとする課題】
【０００４】
しかし、特許文献１に開示されている発明は、着用者の体の必要部位に着圧をかけてテーピング効果を得るための姿勢制御部（パワーゾーン）が、着用者の上半身を包み込むように立体的に閉じた構造になっている。すなわち、コルセットと同様の構造であるため、姿勢を矯正する効果は得られても、着心地が窮屈になり体を楽な姿勢でスムーズに動かすことができない。
【０００５】
このため、引用文献１に開示された発明では、着用者の上半身の自由度を制限するため、着心地が窮屈になり体を楽な姿勢でスムーズに動かすことができない。その結果、寧ろ、体のバランスが悪くなって、特定の筋肉、肩、腰、膝、各関節などに負担がかかり、疲れやすくなる。
【０００６】
そこで、本発明は、着心地が窮屈にならず、体を楽な姿勢でスムーズに動かすことができることを課題とする。
【課題を解決するための手段】
【０００７】
上記課題を解決するために、本発明は、伸縮性を有する生地で構成されていて、上半身に略密着される態様で着用される被服であって、少なくとも、僧帽筋の中部線維及び二頭筋に対応する第１領域は、他の第２領域よりも難伸縮性である。
【０００８】
この場合において、第１領域は、僧帽筋の上部線維に対応する領域を含んでいてもよい。また、第１領域は、被服本体を編立で製造する際に生地を構成する糸の密度が第２領域における密度よりも高い構成でもよい。また、第１領域は、他の生地が重ね合わされている構成でもよい。
【図面の簡単な説明】
【０００９】
【図１】本発明の第１実施形態の被服の正面図である。
【図２】図１に示す被服の背面図である。
【図３】本発明の第２実施形態の被服の正面図である。
【図４】図３に示す被服の背面図である。
【符号の説明】
【００１０】
１０，１１ａ，１１ｂ  第１領域
１００  被服
１０１  本体生地
１０２ａ  右袖生地
１０２ｂ  左袖生地
１０３ａ，１０３ｂ  縫合部
１０４，１０５  襟首生地
【発明の実施の形態】
【００１１】
以下、本発明の実施形態について、図面を参照して説明する。
【００１２】
（第１実施形態）
図１は、本発明の第１実施形態の被服の正面図である。図２は、図１に示す被服の背面図である。図１及び図２に示す被服１００は、着用者の上半身に略密着される態様で着用される被服である。
【００１３】
図１に示すように、本実施形態の被服１００は、その正面側については、例えば、いくつかの部位から構成されるが、いずれも伸縮性を有する生地で構成されている。
【００１４】
被服１００は、着用者の胴体に対応する本体生地１０１と、着用者の右腕に対応する右袖生地１０２ａと、着用者の左腕に対応する左袖生地１０２ｂとに大別される。これらは、全て同種の素材としてもよいし、伸縮性を有してさえいれば異種の素材としてもよいが、ポリウレタン弾性繊維などを含む、いわゆるストレッチ素材とも称されるものを用いることができる。
【００１５】
本体生地１０１と右袖生地１０２ａとは、縫合部１０３ａ通じて相互に結合されている。同様に、本体生地１０１と左袖生地１０２ｂとについても、縫合部１０３ｂ通じて相互に結合されている。
【００１６】
なお、被服１００は、本体生地１０１と、左右の袖生地１０２ａ及び１０２ｂが、それぞれ縫合部１０３ａ及び１０３ｂで結合されているが、これは裁縫上の都合であって、被服１００全体を編立で製造するなどして、これらを一体的な構成としてもよい。
【００１７】
また、図１には、本体生地１０１の正面側に位置していて着用者の肩まで広がる襟首生地１０４と、本体生地１０１の背面側に位置していて襟首生地１０４よりも丈の長い襟首生地１０５とを示している。このように、図１に示す被服１００の正面図では、襟首生地１０４の奥側に、襟首生地１０５の上端付近が見えている。
【００１８】
図２には、図１に示した部分のほかに、着用者の僧帽筋の中部線維及び二頭筋に対応する第１領域１０（図１におけるハッチングのある部分）を示している。本実施形態の被服１００の場合、第１領域１０は、概ね、右袖生地１０２ａの背面部１０２Ａから、本体生地１０１の背面上部１０１Ａを通り、左袖生地１０２ｂの背面部１０２Ｂまでの領域としている。
【００１９】
第１領域１０では、本体生地１０１等の背面に対して、例えば、図２におけるハッチングのある部分の大きさの連続した一枚の別の生地を重ね合わせた状態で、又は、例えば、図２におけるハッチングのある部分の大きさに全体としてとなる、本体生地１０１、右袖生地１０２ａ、及び、左袖生地１０２ｂに対応する部位に分かれている、三枚の別の生地を重ね合わせた状態で、これらを糸で縫合或いは接着剤等を用いて貼付することによって構成すればよい。
【００２０】
なお、第１領域１０を本体生地１０１に対して、同種又は異種の他の生地を縫合等することによって構成する場合には、当該他の生地は、本体生地１０１の表面に対して縫合等してもよいし、裏面に対して縫合等してもよいし、両面に対して縫合等してもよい。
【００２１】
また、上記の縫合等に代えて、被服１００本体を編立により製造することとして、第１領域１０における糸の密度を、第２領域に対して相対的に高めることによって、第２領域よりも伸縮しづらくしてもよい。
【００２２】
いずれの構成であっても、第１領域１０は、当該領域とは異なる第２領域（図２におけるハッチングのない部分）よりも厚手となるので、伸縮しづらくなる。すなわち、第１領域１０は、第２領域よりも難伸縮性となる。
【００２３】
異常をまとめると、本実施形態の被服１００は、伸縮性を有する生地で構成されていて、上半身に略密着される態様で着用される被服であって、第１領域は、少なくとも、僧帽筋の中部線維及び二頭筋に対応し、かつ、第２領域よりも伸縮しづらい難伸縮性の生地で構成されている。
【００２４】
このように、第１領域１０が、着用者の僧帽筋の中部線維及び二頭筋に対応する領域といった限定的なものとしているため、極端に窮屈な着心地となったり、楽な姿勢で体をスムーズに動かすことを妨げることになったりすることがない。
【００２５】
加えて、限定的である難伸縮性の第１領域１０と非難伸縮性の第２領域との相互作用によって、特定の筋肉、肩、腰、膝、各関節などに負担がかかることなく、自然に、左右の肩甲骨が背骨中心側に位置するようになるとともに、大胸筋が拡がるように作用する。
【００２６】
その結果、被服１００の着用者が、立つ、座る、歩くといった身体の基本動作において、背筋が伸びて、美しくかつ若々しい姿勢を保つことができる。さらに、こればかりでなく、ゴルフ、テニス、水泳などといった上半身を良く使うスポーツをする際に着用しても、背筋が伸びて、運動能力の向上に寄与することになる。実際に、本実施形態の被服１００の着用者には、ゴルフボールの飛距離が伸びたという実験結果が得られた。
【００２７】
（第２実施形態）
図３は、本発明の第２実施形態の被服の正面図である。図４は、図３に示す背面図である。図３及び図４において、図１及び図２と同様の部分には、同一の符号で付している。
【００２８】
図３におけるハッチングで示す第１領域１１ａ，１１ｂは、被服１００の着用者の僧帽筋の上部線維に対応している。第１領域１１ａ，１１ｂも、第１実施形態と同様に、第２領域よりも難伸縮性の生地で構成されている。
【００２９】
本実施形態では、第１領域１０は、第１領域１１ａ，１１ｂを含む態様で構成している。すなわち、第１領域１１ａ，１１ｂは、図４に示す第１領域１０と一体的に構成されている。
【００３０】
この構成の場合には、第１領域１１ａ，１１ｂは、それぞれ、図４に示す本体生地１０１の背面上部１０１Ａの両側から、本体生地１０１における肩部分の頂部を通り、図３に示す本体生地１０１における正面側の鎖骨付近に対応する位置までの領域である。
【００３１】
以上をまとめると、第２実施形態における被服１００は、伸縮性を有する生地で構成されていて、上半身に略密着される態様で着用される被服であって、第１領域１１は、少なくとも、僧帽筋の中部線維及び二頭筋のほか、僧帽筋の上部線維にも対応し、かつ、第２領域よりも難伸縮性で構成されている。
【００３２】
このように、本実施形態の被服１００は、着用者の僧帽筋の上部線維にも対応する領域も難伸縮性で構成しているため、第１実施形態の被服１００の場合に比して、更に、背が丸まる様な姿勢になりづらくなるため、左右の肩甲骨が一層背骨中心側に位置するようになり、大胸筋も一層拡がることになる。
【図１】
2017043863.tif 000003
【図２】
2017043863.tif 000004
【図３】
2017043863.tif 000005
【図４】
2017043863.tif 000006